(57)【要約】【課題】サービス事業者がＶＯＤサービスを提供する際に、特定の再生操作を禁止することができるコンテンツ再生装置を提供する。【解決手段】コンテンツ再生装置（受信機１）は、ＩＰによるビデオオンデマンドサービスとしてサーバ６から提供されるコンテンツを再生する。受信機１は、サーバ６から、再生対象のコンテンツに対して再生に係る機能の一部を禁止するように設定された再生制御ファイルを取得し、取得した再生制御ファイルに基づいて、サーバ６からコンテンツを受信し再生する。受信機１は、コンテンツの再生時に、再生制御ファイルにより禁止された再生に係る機能を実行しないように制御する。【選択図】図１
2010258511.tif 000002
【特許請求の範囲】
【請求項１】
ＩＰによるビデオオンデマンドサービスとしてサーバ装置から提供されるコンテンツを再生するコンテンツ再生装置であって、
前記サーバ装置から、再生対象のコンテンツに対して再生に係る機能の一部を禁止するように設定された再生制御ファイルを取得する再生制御ファイル取得手段と、該取得した再生制御ファイルに基づいて、前記サーバ装置から前記コンテンツを受信し再生するコンテンツ再生制御手段とを備え、
該コンテンツ再生制御手段は、前記コンテンツの再生時に、前記再生制御ファイルにより禁止された再生に係る機能を実行しないように制御することを特徴とするコンテンツ再生装置。
【請求項２】
請求項１に記載のコンテンツ再生装置において、前記コンテンツの再生に係る機能をユーザが選択指示するための再生制御パネルを表示可能とし、
前記コンテンツ再生制御手段は、前記再生制御パネルに対して、前記再生制御ファイルで禁止された再生に係る機能をユーザが選択指示できないようにしたことを特徴とするコンテンツ再生装置。
【請求項３】
請求項２に記載のコンテンツ再生装置において、前記再生制御パネルは、前記再生制御ファイルで禁止された再生に係る機能が選択指示できないことをユーザに認識させるため、当該機能の操作ボタンをグレーアウト表示することを特徴とするコンテンツ再生装置。
【請求項４】
請求項２に記載のコンテンツ再生装置において、前記再生制御パネルは、前記再生制御ファイルで禁止された再生に係る機能が選択指示できないことをユーザに認識させるため、当該機能の操作ボタンを表示しないことを特徴とするコンテンツ再生装置。
【請求項５】
請求項２に記載のコンテンツ再生装置において、前記再生制御パネルは、前記再生制御ファイルで禁止された再生に係る機能が選択指示できないことをユーザに認識させるため、当該機能の操作ボタンに禁止マークを付与することを特徴とするコンテンツ再生装置。
【請求項６】
請求項２に記載のコンテンツ再生装置において、前記再生制御パネルは、前記再生制御ファイルで禁止された再生に係る機能が選択指示できないことをユーザに認識させるため、当該機能の操作ボタンをグレーアウト表示し、且つ、禁止マークを付与することを特徴とするコンテンツ再生装置。
【請求項７】
請求項１に記載のコンテンツ再生装置において、前記コンテンツの再生に係る機能をユーザが選択指示するための再生制御パネルを表示可能とし、
前記コンテンツ再生制御手段は、前記再生制御パネルでユーザにより選択指示された再生に係る機能が、前記再生制御ファイルで禁止された機能である場合、該再生に係る機能を無効化することを特徴とするコンテンツ再生装置。
【請求項８】
請求項１に記載のコンテンツ再生装置において、前記コンテンツの再生に係る機能をユーザが選択指示するためのリモコン操作部を備え、
前記コンテンツ再生制御手段は、前記リモコン操作部でユーザにより選択指示された再生に係る機能が、前記再生制御ファイルで禁止された機能である場合、該再生に係る機能を無効化することを特徴とするコンテンツ再生装置。
【請求項９】
請求項７又は８に記載のコンテンツ再生装置において、前記コンテンツ再生制御手段は、前記再生に係る機能を無効化した場合、その機能が無効であることをユーザに通知することを特徴とするコンテンツ再生装置。
【請求項１０】
請求項１〜９のいずれか１項に記載のコンテンツ再生装置において、前記再生制御ファイルは、再生に係る機能毎に無効であるか否かが設定されていることを特徴とするコンテンツ再生装置。
【請求項１１】
請求項１〜９のいずれか１項に記載のコンテンツ再生装置において、前記再生制御ファイルは、再生に係る機能毎に無効であるか否かが設定された設定パターンを識別するための識別情報を含むことを特徴とするコンテンツ再生装置。
【請求項１２】
ＩＰによるビデオオンデマンドサービスとして、コンテンツ再生装置に対してコンテンツを提供するサーバ装置であって、
コンテンツ及び該コンテンツに対する再生制御ファイルを記憶する記憶手段と、前記コンテンツ再生装置からの再生要求に応じて、再生対象のコンテンツ及び該コンテンツに対する再生制御ファイルを前記コンテンツ再生装置に提供するコンテンツ提供手段とを備え、
前記再生制御ファイルは、コンテンツに対して再生に係る機能の一部を禁止するように設定されていることを特徴とするサーバ装置。
【請求項１３】
請求項１２に記載のサーバ装置において、前記コンテンツ再生装置によるコンテンツの再生時に、該コンテンツ再生装置でユーザにより選択指示された再生に係る機能が、前記再生制御ファイルで禁止された機能である場合、該再生に係る機能を無効化することを特徴とするサーバ装置。
【請求項１４】
ＩＰによるビデオオンデマンドサービスとしてサーバ装置から提供されるコンテンツを再生するコンテンツ再生装置によるコンテンツ再生方法であって、
前記コンテンツ再生装置が、前記サーバ装置から、再生対象のコンテンツに対して再生に係る機能の一部を禁止するように設定された再生制御ファイルを取得する再生制御ファイル取得ステップと、該取得した再生制御ファイルに基づいて、前記サーバ装置から前記コンテンツを受信し再生するコンテンツ再生制御ステップとを備え、
該コンテンツ再生制御ステップは、前記コンテンツの再生時に、前記再生制御ファイルにより禁止された再生に係る機能を実行しないように制御することを特徴とするコンテンツ再生方法。
【請求項１５】
請求項１４に記載のコンテンツ再生方法をコンピュータに実行させるためのプログラム。
【発明の詳細な説明】
【技術分野】
【０００１】
本発明は、コンテンツ再生装置、サーバ装置、コンテンツ再生方法、及びプログラムに関し、より詳細には、ＩＰ(Internet protocol)を用いた放送サービスにおいてサーバ装置からＶＯＤ(Video On Demand)配信されるコンテンツを再生するコンテンツ再生装置、サーバ装置、コンテンツ再生方法、及びプログラムに関する。
【背景技術】
【０００２】
近年、ＩＰ接続機能を備えたテレビにおいて、「ひかりＴＶ」や「アクトビラ」などのＩＰを用いた放送サービス（ＩＰＴＶサービス）が提供されるようになってきた。このＩＰＴＶサービスでは、主にブロードバンド回線上の専用のＩＰ網により、ＩＰ放送、ＶＯＤ、映像ダウンロードなどのサービスが提供されている。ＩＰ放送にはマルチキャスト配信が、ＶＯＤにはユニキャスト配信が、映像ダウンロードにはファイル配信が、それぞれ用いられる。
【０００３】
コンテンツを受信側のコンテンツ再生装置にＶＯＤ配信する場合には、再生制御ファイルが必要となる。この再生制御ファイルはＸＭＬ(eXtensible Markup Language)形式で記述され、ＥＲＩ(Entry Resource Information)、ＬＬＩ(license Link Information)、ＮＣＩ(Networkcontent Control Information)が含まれる。ＥＲＩは、コンテンツタイトル、提供元、尺長、チャプタ位置などのコンテンツ固有の情報であり、コンテンツ起動文書とも呼ばれる。ＬＬＩは、コンテンツのライセンス情報にアクセスするための情報である。ＮＣＩはストリーミングコンテンツの再生制御に関する情報であり、サーバ側で対応しているトリックプレイ（早送りや巻き戻しなど）の種類や速度が記述されている。
【０００４】
ここで、従来のＶＯＤサービスで規定されているＮＣＩには、倍速コンテンツの有無を通知する設定はあったが、再生操作の中で特定の操作を禁止する仕組みは提供されていなかった。従って、視聴者は、コンテンツに対して、自由に早送りや巻き戻しなどを行い、ＣＭなど興味のない部分を飛ばして視聴することができた。
【０００５】
また、ＶＯＤ再生用のＵＩ(User Interface)として、ＢＭＬ(Broadcast Markup Language)ブラウザを利用するシステムでは、受信機がＢＭＬブラウザにより、「Used-key-list」を用いてＶＯＤ再生制御キー群（再生、停止、早送り、巻き戻し、チャプタジャンプなどの再生制御キー）を制御し、受信機のＵＩからコンテンツを操作させない仕組みがあるが、この場合、再生機能の全てを禁止してしまうため、例えば、トリックプレイなどの一部の機能のみを禁止することはできなかった。
【０００６】
従来、ＶＯＤコンテンツの再生に必要な操作情報の提供方法に関し、例えば、特許文献１には、映像配信機能を備えたＶＯＤ配信センタと、ＶＯＤ操作情報の表示データを提供するＷｅｂサーバと共にＶＯＤサービスシステムを構成するデジタルテレビ受信機が記載されている。このデジタルテレビ受信機は、ＨＴＭＬブラウザによりＷｅｂサーバにアクセスする際に、デジタルテレビ受信機の端末識別情報を通知し、通知を受けたＷｅｂサーバが、その端末識別情報に基づき、デジタルテレビ受信機に適したＶＯＤ操作情報を記述したＨＴＭＬコンテンツを生成してデジタルテレビ受信機に送信し、ＨＴＭＬブラウザが、受信したＶＯＤ操作情報のＨＴＭＬコンテンツを解釈して画面に表示する。これにより、各ＶＯＤサービスプロバイダの操作体系（早送り、巻き戻しなど）に応じて、ＶＯＤ操作情報の画面表示を変更できるようにしている。
【先行技術文献】
【特許文献】
【０００７】
【特許文献１】特開２００７−１６６３６５号公報
【発明の概要】
【発明が解決しようとする課題】
【０００８】
しかしながら、上記特許文献１に記載のデジタルテレビ受信機は、上記のように、画像表示するＶＯＤ操作情報を、ＶＯＤサービスプロバイダ毎に変更して表示しているに過ぎず、コンテンツの再生機能のうちの一部、例えば、早送りや巻き戻しのみを禁止できるようにするものではない。
【０００９】
このように、従来のＶＯＤ配信型のシステムにおいてコンテンツを再生する際に、コンテンツに対して特定の再生操作を禁止することができなかったため、サービス事業者からすると、視聴者に提供したいＣＭなどの情報が飛ばされてしまい、サービス事業者の意図する内容を視聴者に提供することができないという問題があった。
【００１０】
本発明は、上述のごとき実情に鑑みてなされたものであり、サービス事業者がＶＯＤサービスを提供する際に、特定の再生操作を禁止することができるコンテンツ再生装置、サーバ装置、コンテンツ再生方法、及びプログラムを提供すること、を目的とする。
【課題を解決するための手段】
【００１１】
上記課題を解決するために、第１の技術手段は、ＩＰによるビデオオンデマンドサービスとしてサーバ装置から提供されるコンテンツを再生するコンテンツ再生装置であって、前記サーバ装置から、再生対象のコンテンツに対して再生に係る機能の一部を禁止するように設定された再生制御ファイルを取得する再生制御ファイル取得手段と、該取得した再生制御ファイルに基づいて、前記サーバ装置から前記コンテンツを受信し再生するコンテンツ再生制御手段とを備え、該コンテンツ再生制御手段は、前記コンテンツの再生時に、前記再生制御ファイルにより禁止された再生に係る機能を実行しないように制御することを特徴としたものである。
【００１２】
第２の技術手段は、第１の技術手段において、前記コンテンツの再生に係る機能をユーザが選択指示するための再生制御パネルを表示可能とし、前記コンテンツ再生制御手段は、前記再生制御パネルに対して、前記再生制御ファイルで禁止された再生に係る機能をユーザが選択指示できないようにしたことを特徴としたものである。
【００１３】
第３の技術手段は、第２の技術手段において、前記再生制御パネルは、前記再生制御ファイルで禁止された再生に係る機能が選択指示できないことをユーザに認識させるため、当該機能の操作ボタンをグレーアウト表示することを特徴としたものである。
【００１４】
第４の技術手段は、第２の技術手段において、前記再生制御パネルは、前記再生制御ファイルで禁止された再生に係る機能が選択指示できないことをユーザに認識させるため、当該機能の操作ボタンを表示しないことを特徴としたものである。
【００１５】
第５の技術手段は、第２の技術手段において、前記再生制御パネルは、前記再生制御ファイルで禁止された再生に係る機能が選択指示できないことをユーザに認識させるため、当該機能の操作ボタンに禁止マークを付与することを特徴としたものである。
【００１６】
第６の技術手段は、第２の技術手段において、前記再生制御パネルは、前記再生制御ファイルで禁止された再生に係る機能が選択指示できないことをユーザに認識させるため、当該機能の操作ボタンをグレーアウト表示し、且つ、禁止マークを付与することを特徴としたものである。
【００１７】
第７の技術手段は、第１の技術手段において、前記コンテンツの再生に係る機能をユーザが選択指示するための再生制御パネルを表示可能とし、前記コンテンツ再生制御手段は、前記再生制御パネルでユーザにより選択指示された再生に係る機能が、前記再生制御ファイルで禁止された機能である場合、該再生に係る機能を無効化することを特徴としたものである。
【００１８】
第８の技術手段は、第１の技術手段において、前記コンテンツの再生に係る機能をユーザが選択指示するためのリモコン操作部を備え、前記コンテンツ再生制御手段は、前記リモコン操作部でユーザにより選択指示された再生に係る機能が、前記再生制御ファイルで禁止された機能である場合、該再生に係る機能を無効化することを特徴としたものである。
【００１９】
第９の技術手段は、第７又は第８の技術手段において、前記コンテンツ再生制御手段は、前記再生に係る機能を無効化した場合、その機能が無効であることをユーザに通知することを特徴としたものである。
【００２０】
第１０の技術手段は、第１〜第９のいずれか１の技術手段において、前記再生制御ファイルは、再生に係る機能毎に無効であるか否かが設定されていることを特徴としたものである。
【００２１】
第１１の技術手段は、第１〜第９のいずれか１の技術手段において、前記再生制御ファイルは、再生に係る機能毎に無効であるか否かが設定された設定パターンを識別するための識別情報を含むことを特徴としたものである。
【００２２】
第１２の技術手段は、ＩＰによるビデオオンデマンドサービスとして、コンテンツ再生装置に対してコンテンツを提供するサーバ装置であって、コンテンツ及び該コンテンツに対する再生制御ファイルを記憶する記憶手段と、前記コンテンツ再生装置からの再生要求に応じて、再生対象のコンテンツ及び該コンテンツに対する再生制御ファイルを前記コンテンツ再生装置に提供するコンテンツ提供手段とを備え、前記再生制御ファイルは、コンテンツに対して再生に係る機能の一部を禁止するように設定されていることを特徴としたものである。
【００２３】
第１３の技術手段は、第１２の技術手段において、前記コンテンツ再生装置によるコンテンツの再生時に、該コンテンツ再生装置でユーザにより選択指示された再生に係る機能が、前記再生制御ファイルで禁止された機能である場合、該再生に係る機能を無効化することを特徴としたものである。
【００２４】
第１４の技術手段は、ＩＰによるビデオオンデマンドサービスとしてサーバ装置から提供されるコンテンツを再生するコンテンツ再生装置によるコンテンツ再生方法であって、前記コンテンツ再生装置が、前記サーバ装置から、再生対象のコンテンツに対して再生に係る機能の一部を禁止するように設定された再生制御ファイルを取得する再生制御ファイル取得ステップと、該取得した再生制御ファイルに基づいて、前記サーバ装置から前記コンテンツを受信し再生するコンテンツ再生制御ステップとを備え、該コンテンツ再生制御ステップは、前記コンテンツの再生時に、前記再生制御ファイルにより禁止された再生に係る機能を実行しないように制御することを特徴としたものである。
【００２５】
第１５の技術手段は、第１４の技術手段におけるコンテンツ再生方法をコンピュータに実行させるためのプログラムである。
【発明の効果】
【００２６】
本発明によれば、サービス事業者がＶＯＤサービスを提供する際に、特定の再生操作を禁止することができるため、コンテンツに対して、例えば、トリックプレイ（早送りや巻き戻しなど）や時間指定ジャンプなどを禁止し、一時停止や停止、リピート再生などを許可して、サービス事業者の意図する内容を視聴者に確実に視聴させることができる。
【図面の簡単な説明】
【００２７】
【図１】本発明に係るコンテンツ再生装置の一例として受信機が組み込まれたＶＯＤ配信システムの構成例を示す概略図である。
【図２】図１に示す受信機の構成例を示すブロック図である。
【図３】図１に示すリモコンの一例を示す外観図である。
【図４】本発明に係る受信機によるコンテンツ再生方法の一例を説明するための図である。
【図５】再生制御ファイルの一部として提供される拡張ＮＣＩの一例を示す図である。
【図６】受信機により表示されるＶＯＤコントロールパネルの一例を示す図である。
【図７】コーションメッセージの一例を示す図である。
【発明を実施するための形態】
【００２８】
以下、添付図面を参照しながら、本発明のコンテンツ再生装置、サーバ装置、コンテンツ再生方法、及びプログラムに係る好適な実施の形態について説明する。
【００２９】
図１は、本発明に係るコンテンツ再生装置の一例として受信機が組み込まれたＶＯＤ配信システムの構成例を示す概略図で、図中、１はコンテンツ再生装置の一例である受信機、２はリモコン操作部に相当するリモートコントローラ（リモコン）、３はＩＰ網、４はポータルサーバ、５はＣＡＳ(Conditional Access System)／ＤＲＭ(Digital Rights Management)サーバ、６はコンテンツサーバを示す。本例では、受信機１として、ＶＯＤ配信コンテンツの受信・再生機能を備えたテレビジョン放送受信装置（液晶テレビ）を例示して説明するが、これに限定されるものではなく、例えば、ＶＯＤ配信コンテンツの受信・再生機能を備えたレコーダやセットトップボックスなどであってもよい。
【００３０】
図１に例示するＶＯＤ配信システムは、受信機１にＩＰ網３を介してポータルサーバ４、ＣＡＳ／ＤＲＭサーバ５、コンテンツサーバ６が接続され、これらのサーバによりＣＤＮ(Contents Delivery Network)が構成される。各サーバは、例えば、ＣＰＵ(Central Processing Unit)、ＲＯＭ(Read Only Memory)、ＲＡＭ(Random Access Memory)、記憶装置、ネットワークインターフェイス（ネットワークＩ／Ｆ）などで構成され、ＲＯＭ等にはサーバプログラムがＣＰＵで実行可能に格納されている。
【００３１】
コンテンツサーバ６は、提供用のコンテンツ６ａを記憶装置に格納し、ＩＰによるＶＯＤサービスとしてそのコンテンツ６ａを受信機１に提供するサーバである。コンテンツ６ａは、例えば、ＭＰＥＧ-２やＨ．２６４で圧縮符号化されており、いずれの場合でもＭＰＥＧ-２ ＴＳ(Transport Stream)形式のパケット、好ましくは受信機１側のバッファオーバーフローを防ぐためにタイムスタンプ付きＴＳ（ＴＴＳ）形式のパケットで配信すればよい。
【００３２】
コンテンツサーバ６は、例えばＲＴＰ(Real-time Transfer Protocol)に従って、このようなコンテンツ６ａをＩＰ網３にユニキャストアドレスで出力（ストリーム配信）する。このとき、トランスポート層のプロトコルとしては例えばＵＤＰ(User Datagram Protocol)を採用しＵＤＰパケットでストリーム配信すればよいが、ＵＤＰが使用不可の状態のときはＴＣＰ(Transmission Control Protocol)を用いるとよい。また、配信は、欠損したパケットを受信機１側で復元するために前方誤り訂正（ＦＥＣ）技術を採用して実行すればよく、受信機１側でもこれに対応する回路を具備しておけばよい。また、コンテンツサーバ６と受信機１との間の再生制御には、通信プロトコルとしてＲＴＳＰ(Real Time Streaming Protocol)／ＴＣＰ／ＩＰを用いるとよい。
【００３３】
また、コンテンツサーバ６の記憶装置には、コンテンツ６ａ毎に再生制御ファイル６ｂが記憶されている。再生制御ファイル６ｂは、対象となるコンテンツ６ａの再生に必要な情報ファイルであり、前述したように、例えば、ＥＲＩ、ＬＬＩ、ＮＣＩのＸＭＬ文書で構成されている。
【００３４】
コンテンツサーバ６は、受信機１から再生制御ファイル取得要求を受信し、その応答として、要求された再生制御ファイル６ｂを記憶装置から読み出して受信機１に送信する。このときの通信プロトコルは、ＨＴＴＰ（Ｓ）／ＴＣＰ／ＩＰを採用すればよい。ここで、ＨＴＴＰ（Ｓ）は、ＨＴＴＰ(Hypertext Transfer Protocol)あるいはＨＴＴＰにＳＳＬ(Secure Sockets Layer)によるデータの暗号化機能を付加したＨＴＴＰＳ(HTTP Security)を指す。
【００３５】
このように、コンテンツサーバ６は、コンテンツ６ａ及びそのコンテンツ６ａに対する再生制御ファイル６ｂを記憶する記憶手段と、受信機１から再生要求に応じて、再生対象のコンテンツ及びそのコンテンツに対する再生制御ファイルを受信機１に提供するコンテンツ提供手段とを備える。そして、この再生制御ファイル６ｂに含まれるＮＣＩは、後述するように、コンテンツに対して再生に係る機能の一部を禁止するように設定されている。
【００３６】
また、図１では受信機１にコンテンツサーバ６が１台接続された例を示しているが、複数台接続されていてもよい。さらに、コンテンツサーバ６をセンタサーバとし、そのセンタサーバに対するキャッシュサーバを設置しておき、受信機１からのコンテンツ６ａや再生制御ファイル６ｂの配信要求に対して、キャッシュサーバのＵＲＬ(Uniform Resource Locators)等のＵＲＩ(Uniform Resource Identifier)を返し、受信機１にそのＵＲＩで配信要求を行わせるようにＣＤＮを構成してもよい。
【００３７】
ポータルサーバ４は、受信機１からポータル画面の表示要求を受信し、ＢＭＬ形式やＨＴＭＬ形式などでポータル画面を提供するための画面である。このときの通信プロトコルは、ＨＴＴＰ（Ｓ）／ＴＣＰ／ＩＰを採用すればよい。このポータル画面は、コンテンツサーバ６で提供するコンテンツ６ａをユーザに選択させるための画面（コンテンツ選択画面）であり、例えば、ＢＭＬデータで受信機１に提供される。このコンテンツ選択画面は、例えば、コンテンツ６ａ毎にタイトルや代表的な静止画像等の情報を選択可能に表示するものであればよい。
【００３８】
ＣＡＳ／ＤＲＭサーバ５は、コンテンツサーバ６で提供するコンテンツ６ａに対する視聴制限や課金を行うためのサーバである。例えば、コンテンツサーバ６で提供するコンテンツ６ａを有料で且つ受信機１がその視聴用のライセンスを持たない場合に、ＣＡＳ／ＤＲＭサーバ５は受信機１からのライセンス取得要求を受信し、ライセンスを発行して返信する。このときの通信プロトコルもＨＴＴＰ（Ｓ）／ＴＣＰ／ＩＰを採用すればよい。また受信機１の認証にはＣＡＳカードを用いることができる。
【００３９】
図２は、図１に示す受信機１の構成例を示すブロック図である。受信機１は、全体を制御する制御部の一例として、受信機１全体の制御を実行するＣＰＵ２５、ＲＡＭ２４、及びＥＥＰＲＯＭ(Electrically Erasable and Programmable ROM)等の不揮発性メモリ２８を備え、それらが他部と共にバス接続されてなる。不揮発性メモリ２８には、受信機１全体の制御を行うための制御プログラムをはじめ、ＥＰＧ(Electronic Program Guide)などを表示するためのキャラクタ（文字，シンボル，オブジェクト等）や、ユーザ設定データなどの各種データが格納される。なお、上記制御プログラムはＲＯＭ（図示せず）に格納してもよい。ＲＡＭ２４は、任意のアドレスを指定して読み書きすることが可能な半導体メモリであって、ＣＰＵ２５の作業領域となって不揮発性メモリ２８に格納されたプログラムを読み出したり、処理中のデータを一時的に格納したりする。
【００４０】
図３は、図１に示すリモコン２の一例を示す外観図である。受信機１に対するユーザ操作は図示しない本体の操作部で行うか、あるいは受信機１用のリモコン２によって行う。リモコン２は、図３に示すように搭載されたボタンの押下によって操作信号を生成し、受信機１へその操作信号を送信する。この操作信号を受信するために、受信機１はリモコン受光部２７を備える。リモコン受光部２７で受信した操作信号に基づき、ＣＰＵ２５は、受信機１の現在の動作状態に応じた動作を実行するように受信機１内の各部を制御する。
【００４１】
図２に例示する受信機１は、ＶＯＤ配信コンテンツの受信機能の他に、デジタル放送の受信機能も組み込まれている。そのため、受信機１は、デジタル放送を受信する受信アンテナ１１と、デジタル放送の受信信号をチューニング（選局）するデジタルチューナ部１２と、チューニングされたデジタル放送のデータを復調するデジタル復調部１３とを備える。なお、本発明に係る受信機１において、ＶＯＤ配信コンテンツ受信機能を備えていればよく、デジタル放送受信機能は必須ではないため、上記の各部を備えない構成としてもよい。
【００４２】
受信機１は、ＩＰを用いてＶＯＤ配信されたコンテンツ６ａを受信可能とするために、ＬＡＮ(Local Area Network)１４に接続され、コンテンツサーバ６からＬＡＮ１４を介してコンテンツ６ａの例えばＵＤＰパケットなどを受信するネットワークＩ／Ｆ部１５と、ネットワークＩ／Ｆ部１５を介してＵＤＰパケットなどで受信したコンテンツ６ａをＴＳパケットに変換するＩＰ放送チューナ部１６とを備える。受信機１のＩＰ網３への接続はＬＡＮ１４を経由してネットワークＩ／Ｆ部１５が行うが、ネットワークＩ／Ｆ部１５を例えばメディアコンバータなどと直接接続することで、ＬＡＮ１４を構築しなくとも可能である。
【００４３】
また、受信機１は、ＩＰ網３に接続された各サーバ４〜６とＨＴＴＰ（Ｓ）／ＴＣＰ／ＩＰ通信するために通信制御部２６を備える。通信制御部２６もネットワークＩ／Ｆ部１５を介して外部との通信を行う。通信制御部２６は、コンテンツサーバ６とのコンテンツ６ａの再生制御（再生の開始や終了、トリックプレイなどの制御）に際しては、通信プロトコルとしてＲＴＳＰ／ＴＣＰ／ＩＰを用いる。
【００４４】
さらに、受信機１は、デジタル放送ストリームに含まれるか別途放送されるＳＩ情報（番組情報）を、デジタル復調部１３から出力された復調データから分離する分離部（ＤＭＵＸ）１７を備える。ＤＭＵＸ１７は、ＶＯＤ配信型ＩＰ放送のＳＩ情報がＶＯＤ配信ストリームに含まれるか別途配信されている場合には、ＩＰ放送チューナ部１６の出力であるＴＳパケットからその番組情報の分離も実行する。また、ＤＭＵＸ１７は、復調データやＴＳパケットをビデオデータとオーディオデータとに分離する。なお、デジタル放送とＶＯＤ配信されたＩＰ放送との間でのビデオデータ及びオーディオデータの切り換えは、ＣＰＵ２５からの制御によりこのＤＭＵＸ１７で行うなどすればよい。
【００４５】
ビデオ信号の出力のために、受信機１は、ＤＭＵＸ１７で分離されたデジタル放送のビデオデータやＶＯＤ配信コンテンツのビデオデータをデコードするビデオデコード部１８と、不揮発性メモリ２８に予め格納されたキャラクタを用いてＥＰＧや設定メニューなどのＯＳＤ(On Screen Display)用の信号（ＯＳＤ信号）を生成するＯＳＤ処理部１９と、このＯＳＤ信号をビデオデコード部１８から出力されたビデオ信号に重畳する合成部２０と、合成部２０で合成された信号を出力用のビデオ信号に変換するビデオ出力変換部２１とを備える。
【００４６】
オーディオ信号の出力のために、受信機１は、ＤＭＵＸ１７で分離されたオーディオデータをデコードするオーディオデコード部２２と、オーディオデコード部２２から出力されたオーディオ信号を出力用のオーディオ信号に変換するオーディオ出力変換部２３とを備える。
【００４７】
さらに、受信機１には、映像表示用の液晶表示部２９と、音声出力用のスピーカ３０とを備える。液晶表示部２９は、ビデオ出力変換部２１から出力されたビデオ信号に基づき映像を表示する。スピーカ３０は、オーディオ出力変換部２３から出力されたオーディオ信号に基づき音声を出力する。
【００４８】
ここで、合成部２０によりＯＳＤ処理部１９から重畳される、ＥＰＧ画面、ＢＭＬ画面などを表示するためのＯＳＤ信号について説明する。なお、ＯＳＤ処理部１９では、これらの画面の他に例えば、選局プログラム２８ａで選局されたチャンネル番号やＤＭＵＸ１７で分離されたＳＩ情報を表示するためのＯＳＤ信号を生成し、合成部２０で重畳することもできる。
【００４９】
ＥＰＧ画面を表示させるために、受信機１は、ＥＰＧ処理プログラム２８ｂを、不揮発性メモリ２８にＣＰＵ２５で実行可能に格納している。ＥＰＧ画像信号の生成処理は、ＥＰＧ処理プログラム２８ｂが、ＤＭＵＸ１７で分離された番組データを不揮発性メモリ２８などに蓄積しておき、それらの番組データを読み出し、番組データの枠となる枠データと共にＯＳＤ処理部１９に渡して指示する。ＯＳＤ処理部１９では番組データ及び枠データから対応するキャラクタを読み出してＥＰＧ画面用の画像を生成し、ＥＰＧ画像信号として出力する。また、ＥＰＧ処理プログラム２８ｂによって表示されたＥＰＧ画面においてユーザ操作により或る番組が選択された場合には、上述の選局プログラム２８ａが実行される。
【００５０】
ＢＭＬ画面を表示させるために、受信機１は、ＢＭＬブラウザ２８ｃを、不揮発性メモリ２８にＣＰＵ２５で実行可能に格納している。ＢＭＬ画像信号の生成処理は、まず、ＢＭＬブラウザ２８ｃが通信制御部２６を制御して、通信制御部２６がネットワークＩ／Ｆ部１５にＢＭＬ画面の元となるＢＭＬ文書データをポータルサーバ４から取得させる。そして、ＢＭＬブラウザ２８ｃは、取得したＢＭＬ文書データを解析しＢＭＬ画面の画像を生成し、ＢＭＬ画像信号としてＯＳＤ処理部１９へ渡す。ＢＭＬ画像信号を受け取ったＯＳＤ処理部１９は、そのまま合成部２０へ出力する。
【００５１】
また、受信機１は、ＩＰ放送チューナ部１６でコンテンツサーバ６から所望のコンテンツ６ａを受信させるが、その受信制御並びにコンテンツ再生制御を行う制御プログラムとして、ＡＶプレーヤ２８ｄを備える。ＡＶプレーヤ２８ｄは、ＶＯＤ配信型ＩＰ放送のコンテンツの受信及び再生制御を行うためのプログラムであり、不揮発性メモリ２８にＣＰＵ２５で実行可能に格納されている。
【００５２】
また、受信機１は、ＣＡＳ／ＤＲＭサーバ５とＩＰ網３を介して接続され、コンテンツサーバ６で提供するコンテンツ６ａに対する視聴制限や課金が行われる。この視聴制限や課金を行うためのプログラムが、ＣＡＳ／ＤＲＭクライアント２８ｅである。このＣＡＳ／ＤＲＭクライアント２８ｅは、不揮発性メモリ２８にＣＰＵ２５で実行可能に格納されている。
【００５３】
また、再生制御ファイル２８ｆは、前述したように、コンテンツサーバ６から取得されるコンテンツ６ａの再生に必要なファイルであり、例えば、ＥＲＩ、ＬＬＩ、ＮＣＩのＸＭＬ文書で構成されている。
【００５４】
本発明の主たる特徴部分は、サービス事業者がＶＯＤサービスを提供する際に、特定の再生操作を禁止できるようにすることである。このための構成として、受信機１は、コンテンツサーバ６から、再生対象のコンテンツに対して再生に係る機能の一部を禁止するように設定された再生制御ファイルを取得する再生制御ファイル取得手段と、取得した再生制御ファイルに基づいて、コンテンツサーバ６からコンテンツを受信し再生するコンテンツ再生制御手段とを備える。このコンテンツ再生制御手段は、コンテンツの再生時に、再生制御ファイルにより禁止された再生に係る機能を実行しないように制御を行う。
【００５５】
上記において、再生制御ファイル取得手段は、ＡＶプレーヤ２８ｄ、ネットワークＩ／Ｆ部１５、通信制御部２６、及びこれらを制御するＣＰＵ２５などで例示することができる。また、コンテンツ再生制御手段は、ＡＶプレーヤ２８ｄ、ネットワークＩ／Ｆ部１５、通信制御部２６、及びこれらを制御するＣＰＵ２５などで例示することができる。
【００５６】
本発明に係る再生制御ファイル２８ｆは、ＮＣＩを拡張することにより、ＶＯＤ再生における特定の再生操作のみを禁止できるように構成される。例えば、後述の図５に示すように、コンテンツの再生に係る機能毎に無効であるか否か（disable / enable）を設定しておく。再生に係る機能の無効／有効はコンテンツ提供元が予めＮＣＩに設定し、このＮＣＩを含む再生制御ファイルをコンテンツサーバ６に格納しておけばよい。なお、再生に係る機能は、例えば、再生、停止、一時停止、シーク、チャプタジャンプ、時間指定ジャンプ、リピート再生、早送り、巻き戻しなどが含まれる。
【００５７】
そして、受信機１は、ＶＯＤコンテンツの再生時に、拡張されたＮＣＩを含む再生制御ファイル２８ｆを取得し、取得した再生制御ファイル２８ｆの設定に基づいて、コンテンツの再生を行う。コンテンツに対して、例えば、早送りや巻き戻しなどのトリックプレイ、時間指定ジャンプなどを禁止し、一時停止や停止、リピート再生を許可するように設定した場合、視聴者は、コンテンツの再生時に、トリックプレイや時間指定ジャンプなどの機能を操作することができなくなるため、サービス事業者の意図する内容を視聴者に確実に視聴させることができる。
【００５８】
上記において、ＡＶプレーヤ２８ｄは、ＸＭＬ文書で記述された再生制御ファイル２８ｆ（ＮＣＩ）の解析を可能としている。また、ＡＶプレーヤ２８ｄは、コンテンツの再生に係る機能を視聴者（ユーザ）が選択指示するための再生制御パネルに相当するＶＯＤコントロールパネルを表示可能としている。このＡＶプレーヤ２８ｄは、再生制御ファイル２８ｆのＮＣＩを解析し、解析結果に基づいて、コンテンツの再生制御を行うが、ＶＯＤコントロールパネルに対して、再生制御ファイル２８ｆで禁止された再生に係る機能を視聴者が選択指示できないように制御を行う。
【００５９】
例えば、上記のＶＯＤコントロールパネルに対して、再生制御ファイル２８ｆで禁止された再生に係る機能の操作ボタンにカーソルが移動できないようにする、また、再生に係る機能の操作ボタンを選択できないことをユーザに認識させるために、（１）操作ボタンをグレーアウト表示する（後述の図６（Ｂ）を参照）、（２）操作ボタンを非表示にする、（３）操作ボタンに禁止マークを付与する、（４）操作ボタンをグレーアウト表示し且つ禁止マークを付与する、などの方法を実行する。
【００６０】
図４は、本発明に係る受信機１によるコンテンツ再生方法の一例を説明するための図である。本例では図１，図２に示すシステム構成に基づいて再生制御ファイル取得処理及びＶＯＤコンテンツ再生処理を説明するものとする。まず、視聴者がリモコン２を操作するなどして、受信機１に対してポータルアクセスを指示すると（Ｓ１）、受信機１は、ＢＭＬブラウザ２８ｃを起動させ、このＢＭＬブラウザ２８ｃが、ポータルサーバ４にアクセスし（Ｓ２）、ポータルサーバ４からポータル画面を取得して液晶表示部２９に表示させる。このポータル画面は、コンテンツを選択するためのコンテンツ選択画面である。
【００６１】
次に、視聴者がリモコン２を操作して、ポータル画面から、所望のＶＯＤコンテンツを選択指示すると（Ｓ３）、ＢＭＬブラウザ２８ｃはその選択指示されたＶＯＤコンテンツを格納するコンテンツサーバ６のＵＲＩをＡＶプレーヤ２８ｄに渡し、ＡＶプレーヤ２８ｄは、ＢＭＬブラウザ２８ｃから渡されたＵＲＩに基づいてコンテンツサーバ６にアクセスし、コンテンツサーバ６から再生制御ファイルを取得する（Ｓ４）。そして、ＡＶプレーヤ２８ｄは、取得した再生制御ファイルを解析し、解析結果に基づきＶＯＤコントロールパネルを設定する（Ｓ５）。
【００６２】
次に、ＡＶプレーヤ２８ｄは、ＣＡＳ／ＤＲＭクライアント２８ｅに対して、ライセンスの取得要求を行い、ＣＡＳ／ＤＲＭクライアント２８ｅは、ＣＡＳ／ＤＲＭサーバ５にアクセスし、ＣＡＳ／ＤＲＭサーバ５からライセンスを取得する（Ｓ６）。そして、ＣＡＳ／ＤＲＭクライアント２８ｅは、取得したライセンスに含まれる、コンテンツを視聴するための鍵をＡＶプレーヤ２８ｄに転送する（Ｓ７）。
【００６３】
次に、ライセンスの鍵を取得したＡＶプレーヤ２８ｄは、コンテンツサーバ６に対して、ＶＯＤストリーミングの開始要求を行い（Ｓ８）、これに応じてコンテンツサーバ６は、受信機１に対して、ＶＯＤストリーミングの配信を開始する（Ｓ９）。そして、ＡＶプレーヤ２８ｄは、コンテンツサーバ６から受信したＶＯＤストリーミングを再生し、映像を液晶表示部２９に表示させ、音声をスピーカ３０から出力させる。
【００６４】
視聴者は、ＶＯＤコンテンツの視聴中に、リモコン２を操作するなどして、ＶＯＤコントロールパネルを表示させ、パネル上で実行可能な再生に係る機能を実行するように指示する（Ｓ１０）。この指示を受けたＡＶプレーヤ２８ｄは、コンテンツサーバ６に対してＶＯＤコントロール要求を行い（Ｓ１１）、このＶＯＤコントロール要求に基づいてコンテンツサーバ６はコンテンツの再生に係る機能を実行する。
【００６５】
図５は、再生制御ファイルの一部として提供される拡張ＮＣＩの一例を示す図で、図中、３０は拡張ＮＣＩを示す。この拡張ＮＣＩ３０は、従来のＮＣＩに追加された拡張要素として、extension３１を含む。本例のextension３１は、trick_play_controlに係る機能の無効／有効を設定するものである。各機能の項目３２〜３７は、”disable”、”enable”のいずれかの値をとり、”disable”が設定された機能は禁止され実行不可となる。なお、デフォルト値を”enable”としているため、”disable”が設定されない限り、”enable”として扱われる。
【００６６】
上記において、項目（＠ｐｌａｙ）３２に”disable”が設定された場合、ユーザ操作による再生開始（一時停止後の再生再開を含む）が禁止される。項目（＠ｐａｕｓｅ）３３に”disable”が設定された場合、ユーザ操作による一時停止が禁止される。項目（＠ｓｔｏｐ）３４に”disable”が設定された場合、ユーザ操作による停止が禁止される。項目（＠ｓｅｅｋ）３５に”disable”が設定された場合、ユーザ操作によるシークが禁止される。項目（＠ｃｈａｐｔｅｒ_ｊｕｍｐ）３６に”disable”が設定された場合、ユーザ操作によるチャプタジャンプが禁止される。項目（＠ｃｈａｎｇｅ_ｓｐｅｅｄ）３７に”disable”が設定された場合、ユーザ操作による再生速度変更処理が禁止される。
【００６７】
また、上記では、ＮＣＩに、再生に係る機能（項目）毎に無効であるか否かが設定されているものとして説明したが、他の例として、ＮＣＩに、再生に係る機能（項目）毎に無効であるか否かが設定された設定パターンを識別するための識別情報を含むようにしてもよい。例えば、再生、一時停止、停止のみ許可し、それ以外の再生操作を禁止する第１の設定パターン、再生のみ許可し、それ以外の再生操作を禁止する第２の設定パターンというように複数の設定パターンを予め用意しておき、各設定パターンに固有の識別情報を割り当てておく。
【００６８】
コンテンツサーバ６は、受信機１に対して、設定パターンの識別情報を含めたＮＣＩを提供する。受信機１では、設定パターンとその識別情報とを対応付けたテーブルを保持しておき、このテーブルに基づいて、コンテンツサーバ６から提供された識別情報がどの設定パターンに対応するのかを特定する。設定パターンを特定した後は、その設定パターンに従ってコンテンツ再生処理を実行すればよい。この設定パターンを用いる場合、各設定パターンが有効な期間（例えば、再生開始から３０秒など）を記述し、この有効期間が経過した後は、全ての再生に係る機能を許可するようにしてもよい
【００６９】
図６は、受信機１により表示されるＶＯＤコントロールパネルの一例を示す図である。図６（Ａ）は機能制限のないＶＯＤコントロールパネルの例を示し、図６（Ｂ）は一部機能制限のあるＶＯＤコントロールパネルの例を示す。図６（Ａ）において、４０はＶＯＤコントロールパネルである。ＶＯＤコントロールパネル４０は、再生に係る機能として、スロー再生（巻き戻し方向）４１、一時停止４２、スロー再生（早送り方向）４３、巻き戻し４４、再生４５、早送り４６、リピート再生４７、チャプタ指定ジャンプ（巻き戻し方向）４８、停止４９、チャプタ指定ジャンプ（早送り方向）５０、時間指定ジャンプ（巻き戻し方向）５１、及び時間指定ジャンプ（早送り方向）５２を視聴者により選択可能に表示する。
【００７０】
また、ＶＯＤコントロールパネル４０は、スライダー５３、説明欄５４を含む。視聴者はスライダー５３を早送り方向あるいは巻き戻し方向に移動させ、スライダー５３を停止させた位置からコンテンツを再生することができる。このスライダー５３がある位置がコンテンツの現在の再生位置を示す。また、説明欄５４はカーソルが当たって選択指示されている機能を視聴者に通知するためのものである。図６（Ａ）の例では、視聴者がリモコン２を操作することによりカーソルを移動させ、再生４５にカーソルが当たっている状態（図中、網掛け部分）を示しており、説明欄５４には、再生４５にカーソルが当っていることを視聴者に通知するために、「再生」と表示されている。
【００７１】
図６（Ｂ）の例は、図６（Ａ）の例と比較して、一時停止４２、再生４５、停止４９、リピート再生４７以外の機能がグレーアウト表示されており、視聴者はグレーアウトされた機能を選択することができない。なお、本例では拡張ＮＣＩで禁止した機能をグレーアウト表示したが、これらの禁止された機能をＶＯＤコントロールパネル４０に表示しないようにしてもよい。すなわち、図６（Ｂ）において、グレーアウト表示された各機能が非表示となる。なお、ＶＯＤコントロールパネル４０の表示制御はＡＶプレーヤ２８ｄが拡張ＮＣＩを参照することにより実行される。
【００７２】
また、拡張ＮＣＩで禁止した機能の操作ボタンに、例えば、「×」などの禁止マークを付与するようにしてもよく、あるいは、グレーアウト表示と禁止マークの付与の両方を行うようにしてもよい。
【００７３】
また、シーク機能の一つであるスライダー５３の機能が禁止された場合、スライダー５３の左右操作を禁止する、スライダー５３にカーソルが移動できないようにする、スライダー５３のボタンを非表示にする、などの方法により、ユーザがスライダー５３を操作できないようにすればよい。
【００７４】
また、コンテンツ再生制御の別の形態について説明する。ＡＶプレーヤ２８ｄは、ＶＯＤコントロールパネル４０でユーザにより選択指示された再生に係る機能が、拡張ＮＣＩで禁止された機能である場合、その再生に係る機能を無効化するようにしてもよい。これについて具体的に説明する。例えば、ＶＯＤコントロールパネル４０の表示形態は図６（Ａ）に示すように機能制限のない状態で表示されているが、拡張ＮＣＩでは図６（Ｂ）に示す機能が禁止されているものとする。
【００７５】
上記において、図６（Ａ）に示すＶＯＤコントロールパネル４０に対して、視聴者がリモコン２を操作して例えば早送り４６を選択指示した場合、この早送り４６に対応する早送り機能は拡張ＮＣＩで禁止されているため、ＡＶプレーヤ２８ｄは、早送り４６の選択指示を無効と判断し、その旨を視聴者に通知するためのコーションメッセージをＯＳＤ表示する。このコーションメッセージの一例を図７に示す。なお、視聴者への通知は、コーションメッセージに限らず、ビープ音を鳴らしてもよく、コーションメッセージとビープ音の両方を用いてもよい。
【００７６】
また、ＶＯＤコントロールパネル４０に対して、操作ボタンを選択しても操作できないことを視聴者に認識させるために、（１）操作ボタンをグレーアウト表示する、（２）操作ボタンに禁止マークを付与する、（３）操作ボタンをグレーアウト表示し且つ禁止マークを付与する、などの方法を実行してもよい。この場合、さらに、押下された操作ボタンが無効であることを視聴者に認識させるために、上記のように、コーションメッセージや、ビープ音を鳴らすようにしてもよい。
【００７７】
また、視聴者がＶＯＤコントロールパネル４０ではなく、前述の図３に示したリモコン２のダイレクトボタンを操作した場合にも同様の再生制御を行うことができる。すなわち、リモコン２から視聴者により選択指示された再生に係る機能が、拡張ＮＣＩで禁止された機能である場合、その再生に係る機能を無効化するようにしてもよい。具体的には、視聴者がリモコン２のダイレクトボタン（例えば、早送りボタン）を押下した場合、この早送りボタンに対応する早送り機能は拡張ＮＣＩで禁止されているため、ＡＶプレーヤ２８ｄは、早送りボタンの選択指示を無効と判断し、その旨を視聴者に通知するためのコーションメッセージ（図７）を表示する。
【００７８】
これまでの説明では、受信機１側でコンテンツの再生制御を行っていたが、これをサーバ側で行うようにしてもよい。すなわち、コンテンツサーバ６が、ＶＯＤコントロールパネル４０あるいはリモコン２のダイレクトボタンで視聴者により選択指示された再生に係る機能が、拡張ＮＣＩで禁止された機能である場合、その再生に係る機能を無効化するようにしてもよい。例えば、ＶＯＤコントロールパネル４０に対して、視聴者がリモコン２を操作して例えば早送り４６を選択指示した場合、この早送り４６に対応する早送り機能は拡張ＮＣＩで禁止されているため、コンテンツサーバ６は、この早送り機能が無効である旨を受信機１へ通知し、この通知を受けて受信機１のＡＶプレーヤ２８ｄがコーションメッセージを表示する。あるいは、コンテンツサーバ６が、早送り４６の選択指示を無効と判断し、その旨を視聴者に通知するためのコーションメッセージを受信機１に送信するようにしてもよい。いずれの場合でも受信機１は、図７に示すように、コーションメッセージを液晶表示部２９に表示する。
【００７９】
以上、本発明の受信機１等のコンテンツ再生装置や、コンテンツサーバ６等のサーバ装置について説明したが、本発明は、上述した処理手順に沿ったコンテンツ再生装置によるコンテンツ再生方法としての形態を採用してもよい。また、このコンテンツ再生方法を上述のコンテンツ再生装置を一例とするコンピュータに実行させるためのプログラムの形態を採用してもよい。
【００８０】
このようなプログラムは、コンピュータ読み取り可能な記録媒体に記録することで流通させたり、ネットワーク経由や放送経由で配信して流通させるとよい。この記録媒体としては、具体的には、各種のＣＤ，光磁気ディスク，ＤＶＤ，フレキシブルディスク，フラッシュメモリや、その他各種ＲＯＭやＲＡＭ等が想定できる。コンテンツ再生装置側では、コンピュータに上述の記録媒体を装着して対応するプログラムを読み出して、コンテンツ再生装置が備えている記憶装置に転送して記憶させておくか、或いは放送やネットワーク経由で直接取得してこの記憶装置に記憶させておくとよい。コンテンツ再生装置が必要に応じてこのプログラムを読み出すことにより、本発明に係る機能を実現することができる。
【符号の説明】
【００８１】
１…コンテンツ再生装置（受信機）、２…リモコン、３…ＩＰ網、４…ポータルサーバ、５…ＣＡＳ／ＤＲＭサーバ、６…コンテンツサーバ、６ａ…コンテンツ、６ｂ…再生制御ファイル、１１…デジタル放送受信アンテナ、１２…デジタルチューナ部、１３…デジタル復調部、１４…ＬＡＮ、１５…ネットワークＩ／Ｆ部、１６…ＩＰ放送チューナ部、１７…分離部、１８…ビデオデコード部、１９…ＯＳＤ処理部、２０…合成部、２１…ビデオ出力変換部、２２…オーディオデコード部、２３…オーディオ出力変換部、２４…ＲＡＭ、２５…ＣＰＵ、２６…通信制御部、２７…リモコン受光部、２８…不揮発性メモリ、２８ａ…選局プログラム、２８ｂ…ＥＰＧ処理プログラム、２８ｃ…ＢＭＬブラウザ、２８ｄ…ＡＶプレーヤ、２８ｅ…ＣＡＳ／ＤＲＭクライアント、２８ｆ…再生制御ファイル、２９…液晶表示部、３０…スピーカ。
【図１】
2010258511.tif 000003
【図２】
2010258511.tif 000004
【図３】
2010258511.tif 000005
【図４】
2010258511.tif 000006
【図５】
2010258511.tif 000007
【図６】
2010258511.tif 000008
【図７】
2010258511.tif 000009